Podtech/llm-jp-corpus-v4-ja_patent huggingface dataset:
(57)【要約】【課題】  従来の巻くコルセットはお腹に圧迫感があり長時間装着しづらいうえ、太い体型に合うコルセットが有りませんでしたし、トイレの時にいちいちコルセットを外さなければいけないので不便であった。  本発明は、腰痛の軽減効果を高める貼るコルセットを提供する。【解決手段】  粘着材の片面にＵ字型の補強材を具備し被覆材で挟み込んだ三層構造で、Ｕ字型補強材の下部を広くし曲げの強度と装着の安定性をはかり、粘着材のシールを剥がす為の切れ込みを設けていることを特徴とする貼るコルセット。【選択図】図１
2017074338.tif 000002
【特許請求の範囲】
【請求項１】
粘着材の片面にＵ字型の補強材を具備して、被覆材で覆うように挟み込むことを特徴とする貼るコルセット。
【請求項２】
補強材は同一幅のＵ字型として下部の両角部に突出部を設け、曲げの強度と装着の安定性を高めることを特徴とする  請求項１  記載の貼るコルセット。
【請求項３】
補強材の角部は肌への食い込みを防ぐ為に補強材の全周を丸くしている  請求項１  又は  請求項２  記載の貼るコルセット。
【発明の詳細な説明】
【技術分野】
【０００１】  本発明は、腰の筋肉を補助して腰の痛みを和らげるコルセットに関するものである。
【背景技術】
【０００２】  従来の腰痛コルセットは腰に巻きつけ締め付けていた。
【発明の概要】
【発明が解決しようとする課題】
【０００３】  腰に巻きつけるためお腹に圧迫感が有り長い間装着できない。又、トイレに行ったときいちいちコルセットを外さなくてはいけないので面倒である。
太い体の人に合うコルセットが無い。
本発明は、以上の問題点を解決するためになされたものである。
【課題を解決するための手段】
【０００４】  粘着材の片面にＵ字型の補強材を具備して被覆材で覆うように挟み込み、形状をＵ字型補強材の下部の両角部を広くし、曲げの強度と装着の安定性をはかり、粘着材のシールを剥がす為の切れ込みを設ける。
以上の構成による貼るコルセットである。
【発明の効果】
【０００５】  巻きつける事が無くなり圧迫感が無く、長時間腰を支えることができる。本品を貼っているのでトイレなどでいちいち外す面倒が無くなる。体の体型に関係なく使用できる。
【図面の簡単な説明】
【０００６】
【図１】本発明の使用状態を示す正面図
【図２】本発明の正面図
【図３】本発明の背面図
【図４】本発明の断面図
【発明を実施するための形態】
【０００７】  添付図面を参照して本発明の実施形態について説明する。
図１は本発明を装着した状態を示す正面図である。
図４は粘着材（１）と被覆材（２）で補強材（３）を挟み込み、片面に粘着層を設けた三層構造からなる。
粘着材（１）は発疹・かぶれが出にくく、剥がしやすさを兼ね備えた肌に優しい素材で構成する。Ｕ字の切れ込みは背骨を中心とする腰への位置決めや貼りやすさを考慮した形とする。
被覆材（２）は通気性が高い素材で構成する。
補強材（３）は同一幅のＵ字型とし下部の両角部は補強材（３）の曲げの強度と装着の安定性をはかる為、突出部（５）を設けると共に補強材の全体幅よりも大きくしない事とする。
補強材（３）の厚さは均一とし、圧縮紙（プレスボード）・プラスチック類・ＭＤＦ板などの弾力のある素材で構成する。
補強材（３）の角部は肌に食い込むのを防ぐ為に全周を丸くする。
本発明は以上のような構造である。本発明を貼る時は図３の粘着部の半分のシールを剥がし、腰に当て図１で背骨が貼るコルセットの中心に来るように位置決めして半分を貼り、残り半分のシールを剥がして貼るようにする。
【符号の説明】
【０００８】  １  粘着材、２  被覆材、３  補強材、４  切れ込み、５  突出部
【図１】
2017074338.tif 000003
【図２】
2017074338.tif 000004
【図３】
2017074338.tif 000005
【図４】
2017074338.tif 000006
(57)【要約】【課題】体圧分散をより高次元で実現し、うっ血や褥瘡の予防等の医療効果の高いマットレス、また、うっ血症状の低減で寝返りを減少させ快適な睡眠を享受できるマットレスを得る。【解決手段】ウレタンフォームマットレスの表面（使用面）の形状において、その表面を人体の背面部形状にくり抜いた状態の形状に加工を施したマットレスであって、仰向き状態で寝る人体がマットレス表面の水平面より人体の厚み（仰向き状態の上下の厚み）の２０％〜８０％程度が落ち込み、人体の背面部のほぼ全面で加工面に接することを特徴とする。また、人体背面形状を３次元計測したデータに基づき、その数値通りの形状に加工することにより、体圧分散性を更に高めることができる。【選択図】図１
2017074333.tif 000002
【特許請求の範囲】
【請求項１】
ウレタンフォームマットレスの表面（使用面）の形状において、その表面を人体の背面形状にくり抜いた状態の形状に加工を施したマットレスであって、仰向き状態で寝る人体がマットレス表面の水平面より人体の厚み（仰向き状態の上下の厚み）の２０％〜８０％程度が落ち込んだ状態において人体の背面のほぼ全面が加工面に接することを特徴とするマットレス。
【請求項２】
ウレタンフォームマットレスの表面（使用面）の形状において、人体の背面形状を３次元計測したデータに基づき、その数値通りの形状を表面よりくり抜いた状態の形状に加工を施した請求項１のマットレス。
【請求項３】
ＮＣ切削機によって加工を施した請求項１及び請求項２のマットレス。
【請求項４】
鋳型及び３Ｄプリンターで作成した型を用いてプロファイル加工により製造する請求項１及び請求項２のマットレス。
【請求項５】
鋳型を用いて、モールド製法により製造する請求項１及び請求項２のマットレス。
【発明の詳細な説明】
【技術分野】
【０００１】  本発明は、マットレスの表面形状において人体背面形状とほぼ同じ表面形状部分を有し、人体背面のほぼ全面が接することにより高次元の体圧分散性を実現するマットレスに関する。
【背景技術】
【０００２】  従来のマットレスにおける体圧分散の技術は、素材としてのウレタンフォームの反発性や強度等に関する製造技術の進化により、体圧分散効果のより高いものが製品化されてきた。一方、進化した素材（ウレタンフォーム等）を切込やプロファイル加工、或いはブロック状のパーツを配置した形状に加工したもの等、様々な加工を施したウレタンフォームマットレスが商品化されてきた。【０００３】  近年において人体表面の３次元計測技術の発展は著しく、非常に高価であった計測システムの普及が早まり、容易にその技術利用が可能となった。
【先行技術文献】
【特許文献】
【０００４】
【特許文献１】特開２００６−０９４８８５
【特許文献２】特開２０１５−０８４７８３
【発明の概要】
【発明が解決しようとする課題】
【０００５】  本発明は、体圧分散をより高次元で実現し、うっ血や褥瘡の予防等の医療効果の高いマットレス、また、うっ血症状の抑制効果を向上することにより寝返りを減少させ快適な睡眠を享受できるマットレスを得る。
【課題を解決するための手段】
【０００６】  本発明マットレスは、ウレタンフォームマットレスの表面（使用面）の形状において、その表面を人体の背面形状にくり抜いた状態の形状に加工を施したマットレスであって、仰向き状態で寝る人体がマットレス表面の水平面より人体の厚み（仰向き状態の上下の厚み）の２０％〜８０％程度が落ち込んだ状態において人体の背面のほぼ全面が加工面に接することを特徴とするマットレス。また、人体背面形状を３次元計測したデータに基づき、その数値通りの形状に加工することにより、体圧分散性を更に高めることができる。
【発明の効果】
【０００７】  マットレス表面のくり抜かれた部分の形状は、３次元計測した人体背面部とほぼ同じ形状になる。このことは理論上、人体背面のほぼ全面が同時にマットレスに接することが可能となることを意味し、体圧分散の極限値を得ることができる。従来のマットレスと比較して体圧分散効果は飛躍的に向上する。【０００８】  体圧分散効果を飛躍的に向上させることにより、就寝時の血流を良好に保ち、うっ血症状を解消し、寝返りの欲求を低減し、褥瘡を予防改善する効果も期待できる。人体が水に浮いている状態では、水圧による人体表面の形状にほぼ変化は無い。これと同じように、人体背面全体で体重を支えれば、人体がマットレスに浮いているような感覚を得ることができる。
【図面の簡単な説明】
【０００９】
【図１】  本発明の実施形態を示すマットレスの斜め上方から見た図
【図２】  本発明の実施形態を示すマットレスと人体の図
【図３】  本発明の実施形態を示すマットレスの使用時を側方から見た図
【発明を実施するための形態】
【００１０】  本発明マットレスを図面と共に説明する。
本発明マットレスは、ウレタンフォームマットレスの表面（使用面）の形状において、その表面を人体の背面形状にくり抜いた状態の形状に加工を施した形状を有する。（図１）
【００１１】本発明マットレスは、ウレタンフォームマットレスの表面（使用面）の形状において、その表面を人体の背面形状にくり抜いた状態の形状に加工を施したマットレスであって、仰向き状態で寝る人体がマットレス表面の水平面より人体の厚み（仰向き状態の上下の厚み）の２０％〜８０％程度が落ち込んだ状態において人体の背面のほぼ全面が加工面に接することを特徴とするマットレス。また、人体背面形状を３次元計測したデータに基づき、その数値通りの形状に加工することにより、体圧分散性を更に高めることができる。（図３）
【図１】
2017074333.tif 000003
【図２】
2017074333.tif 000004
【図３】
2017074333.tif 000005
(57)【要約】【課題】手の指で握り締める必要が無く、かつ、身体の多種の筋肉やツボを簡単にマッサージできるかっさ器具を課題とする。【解決手段】厚みのある中空状半球の切断部に凸状突起物を３個以上取り付けた構造のかっさ器具。本発明のかっさ器具は、使用時に手の指で握り締める必要が無く、半球状の本体を手の平の曲面に沿わせるように保持するのみで、突起物の押圧刺激効果に加えて、指を含めた手の平全体を身体に密着できる為、広範囲の筋肉やツボを一度に簡単にマッサージすることが可能となる。【選択図】図１
2017074340.tif 000002
【特許請求の範囲】
【請求項１】
厚みのある中空状半球の切断部に凸状突起物を３個以上取り付けた構造を特徴とするかっさ器具。
【請求項２】
請求項１の構造を特徴とするかっさ器具を用いての施術行為
【発明の詳細な説明】
【技術分野】
【０００１】  本発明は、身体の筋肉やツボをマッサージする器具に関するものである。
【背景技術】
【０００２】  従来より、手の指で握り締めて身体の筋肉やツボをマッサージする器具として、木製やプラスチック製や陶器製のかっさ器具が商品化され市販されている。但し、従来のかっさ器具は、棒状や板状の本体に突起物や窪み等が取り付けられているプレート構造で、手の指で握り締めて筋肉やツボをマッサージするには適しているが、身体の多種の筋肉やツボを、指で握り締めないで力を入れずに簡単にマッサージするには不適であった。
【発明の概要】
【発明が解決しようとする課題】
【０００３】  手の指で握り締める必要が無く、かつ、身体の多種の筋肉やツボを簡単にマッサージできるかっさ器具を課題とする。
【課題を解決するための手段】
【０００４】  厚みのある中空状半球の切断部に凸状突起物を３個以上取り付けた構造のかっさ器具。本発明のかっさ器具は、使用時に手の指で握り締める必要が無く、半球状の本体を手の平の曲面に沿わせるように保持するのみで、突起物の押圧刺激効果に加えて、指を含めた手の平全体を身体に密着できる為、広範囲の筋肉やツボを一度に簡単にマッサージすることが可能となる。
【発明の効果】
【０００５】  本発明の第一の特徴は、本体が厚みのある中空状半球体構造であることである。
本発明のかっさ器具は、本体が厚みのある中空状半球体構造であるので、手の平の曲面に沿わすように保持しながら身体をマッサージすると、突起物の先端部が身体に触れるだけでなく、五本の手指や拇指球や小指球などの手の平全体も身体に触れる。つまり、かっさ器具のマッサージ効果に加えて、手の平でのマッサージ効果が加味されるので一度に広範囲に簡単にマッサージが可能となる。また、手の指で握り締める必要がないため、指が疲れ難くく長時間のマッサージが可能となる。加えて、手の平に保持したかっさ器具に手の平を通じて体重を乗せることが可能であるため、力強い押圧マッサージも可能となる。このように、指先で握り締める必要がないために、かっさ器具を保持する手に体重をかけて力強いマッサージを行なっても指先が痛くならない。
本発明の第二の特徴は、厚みのある中空状半球の切断部に凸付状突起物を３個以上取りけた構造であることである。
本発明のかっさ器具は、厚みのある中空状半球の切断部に凸状突起物を３個以上取り付けた構造であるので、凸状突起物が身体に触れることで圧迫力が発生し突起物先端での押圧刺激効果が発揮される。突起物の形状は、波型形状で先端部に丸みをもたせると皮膚面に対して当たりが優しく気持ち良いマッサージが可能となる。
例えば、波型形状の凸状突起物が１個や２個の場合は、ぐらついて安定感が無く使い難い。凸状突起物が３個の場合は、安定感はあるが、皮膚に触れた時の押圧刺激力が強くなる。逆に、凸状突起物が８個の場合は、皮膚に触れた時の押圧刺激力はソフトになる。各種実験の結果、手の平に収まり易く、動作時に安定感があり、皮膚への接触感が良く、筋肉のマッサージ感やツボ押し感が最適な本体寸法は、突起物が５個、半球の外径直径が５５ｍｍ、本体肉厚が７ｍｍ、突起物先端までの高さが３５ｍｍ程度であった。
マッサージ方法として、頭部は、直接頭皮面に当てて頭蓋骨の曲線に沿わせながら櫛で掻くように手の平を大きく上下すると気持ちよくマッサージできる。目の場合は、直接目に当たらないように気をつけながら目の周囲部やこめかみを小さな円を書くようにマッサージすると目がスッキリとして気持ち良い。耳や口は、本体円球内側の凹部にすっぽりと包み込むようにしてマッサージすると一度に外周部がマッサージできて便利である。頚部、肩部、胸部、上肢などの筋肉の薄い部分は、着衣の上から適度な押圧力を加えて滑らせるようにマッサージすると皮膚への摩擦抵抗も少なく気持ち良い。腹部、臀部、大腿部などの筋肉が厚い場合は、手の平に体重をかけてかっさ本体に体重を乗せると力を込めて深く強くマッサージでき深部の筋肉がほぐされる。手の平や足裏部はツボを垂直方向に押すようにマッサージすると適度な刺激感が心地良い。
本器具の動作方向は、手の平全体を使ってさするように上下左右に動かすか、クルクルと円を描くように上下左右に動かすか、垂直方向に押圧してツボ押ししても良い。また、手の平や突起物と皮膚面の滑りを良くするために、マッサージオイルを併用すると肌へのダメージが少なくなる。また、痛み止め薬品クリームを用いながらマッサージすると血行が良くなり薬物の浸透効果が高まる。
本体材質は、陶磁器製にすると上薬による耐久性向上や滑り心地が優れて手の平に馴染み易い。合わせて、手の平に接触する面は素焼きのままとすると滑り止め効果が発揮されて手の平で保持しやすくなる。また、ステンレス製などの金属製にすると、重量は増すが落下しても破損し難く安全に持ち運びできる。又、合成樹脂製にすると皮膚との滑り心地や耐久性は低下するが量産化によるコストダウンが可能となる。
使用後に本体を机上に置く場合、突起物先端を傷つけない様に本体半球面を下にして置くと本体下部が曲面のため不安定となるが、使用に支障のない程度に本体接地面に平面部を設けると安定して置ける。
【図面の簡単な説明】
【０００６】
【図１】本発明の形状を示す説明図である。
【図２】本発明品を手に保持した説明図である。
【図３】本発明の実施形態における説明図である。
【符号の説明】
【０００７】    １、        陶磁器材質で作成した場合の中空半球状本体
２、        陶磁器材質で作成した場合の本体の波型形状突起物
３、        陶磁器材質で作成した場合の上薬
４、        陶磁器材質で作成した場合の素焼き面
５、        手の平
６、        頭部
【図１】
2017074340.tif 000003
【図２】
2017074340.tif 000004
【図３】
2017074340.tif 000005
(57)【要約】【課題】腸によいゴロゴロ運動を補助し、楽に続けられる道具の腸美男女ゴロゴロを提供する。【解決手段】ゴロゴロ運動は毎日続けることが大事なのですが疲れるので、ゴロゴロ運動が楽に出来るプラスチックの筒を特徴とする。【選択図】図１
2017074346.tif 000002
【特許請求の範囲】
【請求項１】
プラスチックの大きな筒で運動を補助するもの。
【発明の詳細な説明】
【技術分野】
【０００１】  この発明は床に寝てゴロゴロ回ることで腸を元気にするのを楽に出来るようにする道具に関するものである。
【背景技術】
【０００２】  健康の為に床でゴロゴロ回るのを補助する商品はありません。
【先行技術分献】
【０００３】
【発明の概要】
【発明が解決しようとする課題】
【０００４】  床でゴロゴロ回るのを毎日１０分間続けるのが腸の健康によいのですが、思った以上に疲れるものでやめてしまいます。
本発明はゴロゴロ運動を毎日続ける為に考えたものである。
【課題を解消するための手段】
【０００５】人間の入れる大きなプラスチックの筒である。
【発明の効果】
【０００６】床でゴロゴロ回るのは便秘症、ガス溜まりに効果があり、便秘症でない人も腸のヒダがきれいになり、動きがよくなります。
毎日、１０分間の運動が楽に出来て、三日坊主にならず続けられる。
【図面の簡単な説明】
【０００７】
【図１】  本発明の斜視図である。
【発明を実施するための形態】
【０００８】  以下、本発明を実施するための形態について説明する。
人が入れる大きさで回ってもこわれない厚みの筒をプラスチックで作る。
直径約５０ｃｍ、長さ約７０ｃｍ、厚さ約５ｍｍで直径は大きいサイズも作る。
これを使用するときは筒を横にして中に入り頭と腕を出してゴロゴロ回る。
【符号の説明】
【０００９】  なし
【図１】
2017074346.tif 000003
(57)【要約】【課題】紐付きの菜箸は、使用中紐が絡んで使いにくい。紐を切ってしまうと、また紐を通すのも困難である。紐なし菜箸は、一度に手に取る事が難しく、吊り下げて乾燥する事も出来ない。片方を無くす事もあり、取扱いが不便だった。  本発明は、紐が絡まず取り扱いやすい菜箸にする事を目的とする。【解決手段】頂点となる摘み部分から、下方向に左右対称な２本の紐状部分を有し、前記紐状部分の先端に差し込み口を有する二つの部材を設ける。前記紐状部分と前記二つの部材との接合部分は緩やかな凹形状を形成する為、吊り下げられた状態から摘み部分をつまみ、スムーズに引き上げる事が出来る。差し込み口の内部には、縮径部を設け、容易に菜箸が抜け落ちない構造とする。また、自立可能で着脱容易な硬度を有するエラストマーから成る為、紐状部分はその形状を保つ事が出来、絡まない。  以上の形状からなる菜箸のつなぎ具。【選択図】図４
2017074343.tif 000002
【特許請求の範囲】
【請求項１】
頂点となる摘み部分から、下方向に左右対称な２本の紐状部分を有し、前記紐状部分の先端に差し込み口を有する二つの部材を設け、前記紐状部分と前記二つの部材との接合部分が緩やかな凹形状を形成する自立可能な菜箸のつなぎ具。
【請求項２】
差し込み口内部には、縮径部を設け、容易に菜箸が抜け落ちない構造を特徴とする請求項１の菜箸のつなぎ具。
【請求項３】
自立可能で着脱容易な硬度を有するエラストマーから成る事を特徴とする請求項１又は請求項２に記載の菜箸のつなぎ具。
【発明の詳細な説明】
【技術分野】
【０００１】  本発明は、料理の調理や、盛り付け及び食事の取り分けに使用する菜箸のつなぎ具に関するものである。
【背景技術】
【０００２】  従来、２本の菜箸を糸や紐でつないでいるものや、紐なしの菜箸が一般的だった。
【先行技術文献】
【特許文献】
【０００３】
【特許文献１】実開平７−３０９４４号公報
【発明の概要】
【発明が解決しようとする課題】
【０００４】  紐付きの菜箸は、使用中、紐が絡んで使いにくい。紐を切ってしまうと、また紐を通すのも困難である。紐なし菜箸は、一度に手に取る事が難しく、吊り下げて乾燥する事も出来ない。片方を無くす事もあり、取扱いに不便である。本発明は以上の問題点を解決するものである。
【課題を解決する為の手段】
【０００５】  本発明は、前記の問題解決のため、新規な構造の菜箸のつなぎ具を検討した結果なされたものである。
【０００６】  即ち、本発明は、頂点となる摘み部分から、下方向に左右対称な２本の紐状部分を有し、前記紐状部分の先端に差し込み口を有する二つの部材を設け、前記紐状部分と前記二つの部材との接合部分が緩やかな凹形状を形成する自立可能な菜箸のつなぎ具である。
【０００７】  また、本発明は、差し込み口内部に縮径部を設け、容易に菜箸が抜け落ちない構造を特徴とする、前記の菜箸のつなぎ具である。
【０００８】  また、本発明は、自立可能で着脱容易な硬度を有するエラストマーから成る事を特徴とする、前記の菜箸のつなぎ具である。
【発明の効果】
【０００９】  本発明により、紐付き菜箸の糸の絡まりから解放される。吊り下げて乾燥する事も出来、使用状態、収納状態に関わらず摘みをつまんで簡単に手に取る事が出来る。
本発明は、弾力性に優れた素材から成る成形品で着脱が容易に行える。
【図面の簡単な説明】
【０００１０】
【図１】本発明の菜箸のつなぎ具の一例を示す正面図
【図２】本発明の菜箸のつなぎ具の一例を示す断面図
【図３】本発明の菜箸のつなぎ具の使用状態の一例を示す正面図
【図４】本発明の菜箸のつなぎ具の使用状態の一例を示す断面図
【発明を実施するための形態】
【０００１１】  以下、本発明の実施の形態を、図を用いて説明する。
（イ）頂点となる摘み部分１から、下方向に左右対称な２本の紐状部分２を設け紐状部分      ２の先端に二つの部材３を設ける。
（ロ）二つの部材３の下部中心には、菜箸６の上端を差し込むための差し込み口４を設け      る
（ハ）紐状部分２と二つの部材３との接合部分は緩やかな凹形状を形成する。
（ニ）差し込み口４の内部には、縮径部を設ける。
（ホ）自立可能で着脱容易な硬度を有するエラストマーから成るため、紐状部分２はその      形状を保つ事が出来、絡まない。
本発明は以上の様な構造である。
本発明を使用する時は、二つの部材３の下部中心に設けられた差し込み口４から、菜箸６の上端を差し込み口４の内部奥まで差し込む。差し込み口４の内部には、縮径部５が設けられているので菜箸６は容易に抜け落ちる事が無く、差し込んだまま吊り下げる事も出来る。紐状部分２と二つの部材３との接合部は緩やかな凹形状を形成している為、吊り下げられた状態から、摘み部分１をつまんでスムーズに引き上げる事が出来る。
また、自立可能で着脱容易な硬度を有するエラストマーから成る為、紐状部分２はその形状を保つ事が出来る。したがって、使用状態、収納状態に関わらずつまみ部分１をつまんで簡単に手に取る事が出来、絡まない。
【符号の説明】
【０００１２】  １  摘み部分、２  紐状部分、３  部材、４  差し込み口、５  縮径部、６  菜箸
【図１】
2017074343.tif 000003
【図２】
2017074343.tif 000004
【図３】
2017074343.tif 000005
【図４】
2017074343.tif 000006
(57)【要約】【課題】長時間のデスクワークをしていると、腰に負担がかかり、腰痛を引き起こしてしまうことがある。  本発明は、長時間のデスクワーク従事者の身体的疲労を軽減する健康器具を提供する。【解決手段】約３°の傾斜面を有する複数の座面マットの表裏に、それぞれ凹凸波型を形成し、一枚もしくは複数枚の組み合わせで座面に敷き置いて使用することを特徴とする腰掛け用腰痛防止マット。【選択図】図４
2017074341.tif 000002
【特許請求の範囲】
【請求項１】
お尻を着けた際に、お尻の大きさを少しはみ出る程の広さの座面を有する肉厚の長方形マットを想定した場合において、短手の一方側から他方側へ約３°の傾斜面を形成し、片面側に短手に並行して、かまぼこ型に盛り上がる波型凹凸を長手方向に連続的に形成し、長手縁は両側共に波型凹部の高さまで切除された形となり、その様に形成された面を表面と称するのであるが、他面側において、表面同様に波型凹凸を形成し、長手縁は両側共に波型の凸部の高さと同等の高さに形成して、横ズレストッパーと成し、こちらの面を裏面と称する。尚、マットの形状は、長方形・正方形、いずれであっても事情は全く同様である。以上を特徴とする腰掛け用腰痛防止マット。
【発明の詳細な説明】
【技術分野】
【０００１】  本発明は長時間腰掛けることによって起こる腰痛を防ぐマットに関するものである。
【背景技術】  現在使用されている椅子のほとんどは着座面が水平になっている。そのような椅子に敷き置いて使用されるものとして、マット上面にかまぼこ型に盛り上がった凸部を複数設け、お尻を型取った様な凹部を設けたマット等が知られている（特許文献１参照）。
【先行技術文献】
【特許文献】
【０００３】
【特許文献１】  特開２００６−１６７３２０号公報
【発明の概要】
【発明が解決しようとする課題】
【０００４】  従来の椅子はデスクワークのように上半身がやや前かがみになった状態で長時間座っていると腰に負担がかかり、腰痛に悩まされる人々が数多くいる。特許文献１に示される先行技術では腰椎の湾曲が形成されず、また、骨盤の前傾角度には個人差があり、この問題点にも対応できていない。
本発明は、この問題点を解決するためになされたものである。
【課題を解決するための手段】
【０００５】  お尻を着けた際に、お尻の大きさを少しはみ出る程の広さの座面を有する肉厚の長方形マットを想定した場合において、短手の一方側から他方側へ約３°の傾斜面を形成する。片面側に短手に平行して、かまぼこ型に盛り上がる波型凹凸を長手方向に連続的に形成し、長手縁は両側共に波型凹部の高さまで切除された形となり、その様に形成された面を表（おもて）面と称する。
他面側において、表面同様に波型凹凸を形成し、長手縁は両側共に波型の凸部の高さと同等の高さに形成して、横ズレストッパーと成し、こちらの面を裏面と称する。
以上を特徴とする腰掛け用腰痛防止マットである。
【発明の効果】
【０００６】  本来、人体は垂直時に脊柱のＳ字湾曲を形成し、このＳ字構造が上半身の重さを分散させ、下半身への負荷を軽減している。
デスクワークのように、やや前かがみの状態で水平の椅子に長時間座り続けていると、腰椎の湾曲が形成されないため、腰に負荷がかかり、腰痛を引き起こしてしまうことがある。
椅子の座面に傾斜角のついたマットを敷くことで骨盤を前傾させ、腰椎の湾曲を形成し、腰の負担を軽減させることができる。
また、骨盤の前傾角度には個人差があり、マットを複数重ねることで、６°、９°、１２°と角度調整ができるので、各個人に合った角度を選択することができる。
また、座面に設けた波型凹凸によって筋肉のマッサージ効果とお尻のムレ防止効果が得られる。
傾斜を必要としない時には、２枚のマットを１８０°水平反転させて組み合わせれば、水平マットとして使用できる。
腰痛防止以外にも、組み合わせにより、ネコ背を伸ばすマット、足枕、座布団、十枚以上水平に積み重ねることで好きな高さの椅子にすることができる。使用者が自由に組み合わせ、多目的に使用できる。
【図面の簡単な説明】
【０００７】
【図１】  本発明の表面斜視図
【図２】  本発明の裏面斜視図
【図３】  本発明の側面図
【図４】  本発明の使用状態を示す側面図
【図５】  本発明の別の使用状態を示す側面図
【図６】  本発明の別の使用状態を示す側面図
【図７】  本発明の別の使用状態を示す側面図
【図８】  本発明の別の使用状態を示す側面図
【発明を実施するための形態】
【０００８】  お尻を着けた際に、お尻の大きさを少しはみ出る程の広さの座面を有する肉厚の長方形マットを想定した場合において、短手の一方側から他方側へ約３°の傾斜面を形成する。片面側に短手に並行して、かまぼこ型に盛り上がる波型凹凸を長手方向に連続的に形成し、長手縁は両側共に波型凹部（５）の高さまで切除された形となり、その様に形成された面を表面と称する。
他面側において、表面同様に波型凹凸を形成し、長手縁は両側共に波型の凸部（６）の高さと同等の高さに形成して、横ズレストッパー（４）と成し、こちらの面を裏面と称する。尚、マットの形状は、長方形・正方形、いずれであっても事情は全く同様である。
以上を特徴とする腰掛け用腰痛防止マットである。
本発明は以上のような構造であり、以下その具体的使用の形態を説明する。
本発明を腰痛防止に使用するときは、椅子の座面前方に薄手側（１）を合わせて複数枚重ね、６°、９°、１２°と、使用者の身体に合わせた傾斜を形成して使用する。
水平マットとして使用するときは、２枚のマットの薄手側（１）と厚手側（２）を合わせて重ね使用する。
ネコ背を伸ばすマットとして使用するときは、両端が各々薄手側（１）同士・厚手側（２）同士に同じ枚数を重ね合わせた二組が、各々の厚手側において背中合わせ状に並列設置して、中央が小高く盛り上がり、そこに背中の中央が当たるように仰向けに寝て背筋を伸ばす形で使用する。
通常の椅子として使用するときは、マットを、両端が薄手側（１）厚手側（２）を交互に重ね合わせて、例えば十数枚重ねてその上に腰掛けるという形で使用する。
【符号の説明】  １  薄手側      ２  厚手側      ３  波型凹凸        ４  横ズレストッパー
５  凹部        ６  凸部
【図１】
2017074341.tif 000003
【図２】
2017074341.tif 000004
【図３】
2017074341.tif 000005
【図４】
2017074341.tif 000006
【図５】
2017074341.tif 000007
【図６】
2017074341.tif 000008
【図７】
2017074341.tif 000009
【図８】
2017074341.tif 000010
(57)【要約】【課題】吸収性物品を取り付けて着用する生理用ショーツ及び失禁用ショーツ着用時にしっかりと吸収性物品を固定することで前身頃から臀部を通り腰部までの密着度を高め、安定感がありフィット感が良好なショーツの提供。【解決手段】ショーツの構造において、内側の前身頃（図３−１）から臀部を通り腰部（図３−２）までの範囲内の長さ且つ左右中央に位置する箇所に伸縮性のある別生地もしくは別素材を縫い付け、生地もしくは素材の伸縮性により肌、吸収性物品、ショーツの密着度を高めることで、臀部や鼠蹊部等からの後漏れおよび横漏れを軽減する。【選択図】図１
2017074347.tif 000002
【特許請求の範囲】
【請求項１】
ショーツの構造において、ショーツ内側の前身頃（図３−１）から臀部を通り腰部（図３−２）までの間に、ショーツ前身頃、クロッチ、後身頃の上部中央に伸縮性のある別生地もしくは別素材を縫い付けることにより肌、吸収性物品、ショーツの密着度を高めた生理用ショーツおよび失禁用ショーツ。
【発明の詳細な説明】
【技術分野】
【０００１】  本発明は、内部にナプキン等の吸収性物品を取り付けて使用する生理用ショーツ及び失禁用ショーツに関する。
【背景技術】
【０００２】  生理用ショーツ及び失禁用ショーツは、人が動作を行うことでナプキン等の吸収性物品に予め粘着しているテープとショーツのずれが原因により臀部や鼠蹊部等からの後漏れおよび横漏れが発生する場合がある。【０００３】  これを回避すべく後漏れおよび横漏れを防止する工夫が施されている。
例えば、生理用ショーツにおいては、装着時の生理用ナプキン等の股下部への固定安定性を向上させるべく、内部クロッチ布に取り付けられたナプキンを股下部に安定して密着させたショーツが提案されている（特許文献１）。【０００４】  近年では、締め付け感の少ない下着が好まれる傾向があり、着用時の締め付け感を緩和する生理用ショーツ（特許文献２）があるが、締め付け感を緩和することにより、吸収性物品とショーツのずれによる後漏れおよび横漏れの可能性を高めてはならない。
【先行技術文献】
【特許文献】
【０００５】
【特許文献１】  特開２０１１−５０６８３号公報
【特許文献２】  特開２０１０−１０４７２７号公報
【発明の概要】
【発明が解決しようとする課題】
【０００６】  生理用ショーツ及び失禁用ショーツ着用時、ショーツの内部にナプキン等の吸収性物品をしっかりと固定することにより、後漏れおよび横漏れの要因のひとつであるショーツと吸収性物品のずれを防ぐ。
ショーツと吸収性物品、鼠蹊部から臀部を通り腰部までの肌との密着度を高めることにより、安定感だけでなく全体のフィット感が良好な生理用ショーツ及び失禁用ショーツの提供を課題とする。
【課題を解決するための手段】
【０００７】  前記課題を解決するために、本発明はショーツ内側の前身頃（図１−１・図３−１）から臀部を通り腰部まで（図２−２・図３−２）の範囲の左（図４−５Ｂ・図４−３Ｂ・図２−４Ｂ）右（図４−５Ａ・図４−３Ａ・図２−４Ａ）中央に伸縮性のある生地もしくはテープ等の素材を縫い付ける。
前身頃からクロッチ生地を通り後身頃まで範囲の生地上（図４−１）に縫い付けられた生地もしくはテープ等の素材が伸縮することにより、前身頃から臀部を通り腰部までの肌と吸収性物品の密着度を高める。
さらに、縫い付けられた生地もしくはテープ等の素材が臀部の割れ目に沿うことにより、臀部の割れ目に沿ってしっかりとショーツが固定される。
すなわち、吸収性物品も同様にショーツの前身頃から臀部、腰部にあたる箇所の範囲の左右の中央で固定される。
あわせて、動作を行った際に起こりうるショーツおよび吸収性物品のずれが緩和する。
【発明の効果】
【０００８】  本発明は、ショーツ、吸収性物品と前身頃から臀部を通り腰部までの密着度を高めることにより、ショーツと吸収性物品の位置が固定され安定感が高まる。
密着度を高める箇所が鼠蹊部から臀部を通り腰部まで範囲に限定されているため、ショーツ全体のフィット感が良好に保つ。
安定感を高めることにより、後漏れおよび横漏れの要因であるショーツと吸収性物品のずれが起こる可能性が軽減する。
【図面の簡単な説明】
【０００９】
【図１】  本発明の生理用ショーツ及び失禁用ショーツの正面図
【図２】  図１に示す生理用ショーツ及び失禁用ショーツの背面図
【図３】  図１に示す生理用ショーツ及び失禁用ショーツの側面図
【図４】  図１に示す生理用ショーツ及び失禁用ショーツの内側股下図
【符号の説明】
【００１０】１            鼠蹊部
２            腰部
１から２の間  ショーツ内側に縫い付けられた伸縮性のある生地
３Ａ          股下右半身
３Ｂ          股下左半身
３Ａと３Ｂの長さは同一とする
４Ａ          腰部右半身
４Ｂ          腰部左半身
４Ａと４Ｂの長さは同一とする
５Ａ          前身頃クロッチ上部右半身
５Ｂ          前身頃クロッチ上部左半身
５Ａと５Ｂの長さは同一とする
【図１】
2017074347.tif 000003
【図２】
2017074347.tif 000004
【図３】
2017074347.tif 000005
【図４】
2017074347.tif 000006
(57)【要約】【課題】既に装着されている固定器具の種類や、飾り小物の大きさまたは色味によって、使用目的が限られており、それぞれの用途に合わせた飾り小物を用意しなければならず、飾り小物の形や方向も定まっているため、好みの方向に飾り小物を動かすことができなかった。また、固定器具が損傷した場合、本来の目的としての使用に不便さが生じた。  本発明は、多用途にわたり使用することができる、組み替え自由な飾り小物を提供する。【解決手段】形の元となる柔軟性の素材で作った芯をその形に沿って布で包み、その物に沿って手クスに通したビーズが外枠になるように模様編みを施しながら包み仕上げることを特徴とする組み替え自由な飾り小物。【選択図】図１
2017074342.tif 000002
【特許請求の範囲】
【請求項１】
柔軟性を有する素材を用い任意の形に芯を形成し、芯の外周を装飾性のある布で包み込み、包み込んだ芯が外側から見えるようにした外枠を用いて芯を包み込んだ組み替え自由な飾り小物。
【請求項２】
外枠にテグスに通したビーズを用いて模様編みにした請求項１の組み替え自由な飾り小物。
【発明の詳細な説明】
【技術分野】
【０００１】  本発明は、多用途にわたり使用することができる、組み替え自由な装飾用の飾り小物に関するものである。
【背景技術】
【０００２】  従来、飾り小物は、使用目的に合わせた固定器具が装着されている。
また、飾りの方向や形や色も既に定まっている。
【先行技術文献】
【０００３】
【特許文献１】実用新案登録第３１８１５００号公報
【発明の概要】
【発明が解決しようとする課題】
【０００４】  特許文献１では、用途の主な目的が装飾用品のパーツ受けとしての形態であるため、上下の向きが決まっており、決まった形状からの変化には限りがある。また、使用目的として完成後は新たに組み換えることが難しかった。
上記をふまえ従来より次のような問題点があった。
（イ）装飾小物には既に、Ｕピン・ヘアーピン・ブローチ金具・帯留めシャワー等が装着      されており、また、飾り小物の大きさまたは色味によっても使用目的が限られてい      るため、それぞれの用途に合わせた飾り小物を用意しなければならなかった。
（ロ）既に飾り小物の形や方向が定まっているため、好みの方向に飾り小物を動かすこと      ができなかった。
（ハ）固定器具が損傷した場合、本来の目的としての使用に不便さが生じた。
本発明は、以上の問題点を解決するためになされたものである。
【課題を解決するための手段】
【０００５】  形の元となる柔軟性の素材で作った芯をその形に沿って布で包み、その物に沿ってテグスに通したビーズが外枠になるように模様編みを施しながら包みこむ。以上を特徴とする組み替え自由な飾り小物である。
【発明の効果】
【０００６】  本発明は、飾り小物がビーズからなる外枠を利用し好みの方向に固定器具が装着でき、用途に合わせた固定器具に交換することによって多用途に使用ができ、固定器具が損傷した場合も交換が可能であることも含め経済的である。
また、飾り同士の組み換えや組み合わせにより、自分好みの幅広い装飾を楽しむことができる。
【図面の簡単な説明】
【０００７】
【図１】本発明の斜視図
【図２】本発明の分解斜視図
【図３】本発明の応用使用状態実施例１を示す斜視図
【図４】本発明の応用使用状態実施例２を示す斜視図
【図５】本発明の応用使用状態実施例３を示す斜視図
【発明を実施するための形態】
【０００８】  以下、本発明の実施の形態を説明する。
（イ）図２に示すように芯（１）の部材は柔軟性のある素材を用いる。例えば、綿やシリ      コン等を用い基本となる形を形成して、これを芯（１）として用いる。この時、芯      （１）の形は自由に例えば、三角や丸、ハート等を制作して良い。
（ロ）その芯（１）を装飾の一部となる布（２）で芯（１）の形を保ち全体を包み込み、      包み込む布（２）は、色・柄・素材を自由に選んで良い。
（ハ）テグス（３）を用いてビーズ（４）をつなぎ、布（２）で包まれた芯（１）が内側      になるようにし、また、包み込んだ芯（１）が外側から見えるような模様編みにし      たビーズ（４）が外枠（５）になるように、芯（１）の形に沿って包みこむ。
本発明は以上のような構造である。
【０００９】  本発明を使用するときは、小物飾りの好みの方向を決め、外枠（５）のビーズ（４）の編み模様の部位に固定器具の種類である一例としてＵピン（６）や接続器具の種類であるマルカン（８）を装着する。この時、内側の布（２）で包まれた芯（１）が柔軟性があるため接続器具のマルカン（８）や固定器具のＵピン（６）などがが装着しやすい。また、髪飾りや、コサージュ・帯飾り等で利用する時には目的に合わせた接続器具や固定器具に付け替える。香りを楽しみたい時は、外枠（５）の間から出ている布（２）の一部に香料を染み込ませることが自由に組み込めることが出来る。又、外枠（５）を一実施例としてビーズ（４）で示したが、他にチェーン・組みひも・水引等を用いても良い。
本発明は特定の目的を持った固定器具や接続器具を装着していない装飾用パーツであるので、固定器具や接続器具の組み替えによって単独での使用だけでなく、複数をつなぎ合わせることにより形や色の変化、他の装飾品等に付け加えたりすることにより幅広く応用することができる。また、本発明の芯（１）の形、布（２）の素材・柄・色、ビーズ（４）の形や編み模様・色の組み合わせが多種多様であることを考慮してもかなり需要度が高くなる。
実施例１として図３に示したように、本発明の外枠（５）に固定器具Ｕピン（６）を通し髪飾りとして使用。
実施例２として図４に示したように、本発明の外枠（５）を接続器具の役割をする丸カン（８）とリボン（７）を使用し、繋ぎあわせて使用。
実施例３とし図５に示したように、本発明の外枠（５）に針金（９）を通し、他の小（１０）に加えて使用。
【符号の説明】
【００１０】      １    芯
２    布
３    テグス
４    ビーズ
５    外枠
６    Ｕピン
７    リボン
８    マルカン
９    針金
１０  他小物
【図１】
2017074342.tif 000003
【図２】
2017074342.tif 000004
【図３】
2017074342.tif 000005
【図４】
2017074342.tif 000006
【図５】
2017074342.tif 000007
(57)【要約】      （修正有）【課題】従来の食器用複合クリーナーはスポンジをネット袋状で包んでいるので食器を洗ってもクリーナーを持つ手に摩擦感覚がなく汚れが落ちない。この欠点を除く為に汚れ落しの部分をドーナッツ形状ネット輪とし、汚れ流し部分をスポンジとし双方を結束させた食器用複合クリーナーである。【解決手段】汚れ落しの部分のドーナッツ形状ネット輪１は軟質合成樹脂等の繊維を小さな編目で編み円筒形状としたものを先端から丸めてドーナッツ形状としたものである。繊維の編み目が互にからんだ形状は食器を摩擦するので汚れが落ち易い。汚れ流しの部分のスポンジ２は、ドーナッツ形状ネット輪１の内側円形と同程度の大きさのものである。この双方を適宜結束材を用いて結束しているので、双方が直接食器にふれるので食器洗いがスムースである。【選択図】図１
2017074349.tif 000002
【特許請求の範囲】
【請求項１】
ドーナッツ形状ネット輪とスポンジをドーナッツ形状ネット輪の中で双方を適宜結束材を用いて結束した食器用複合クリーナーである。
【請求項２】
ドーナッツ形状ネット輪は軟質合成樹脂等の繊維を小さな編目で編み円筒形状としたものを先端から丸めたドーナッツ形状ネット輪として形成されている特許請求の範囲第１項記載の食器用複合クリーナーである。
【請求項３】
スポンジはドーナッツ形状ネット輪の内側円形と同程度の大きさで適宜孔をあけた軟質合成樹脂等の弾力性ある素材より成る特許請求の範囲第１項記載の食器用複合クリーナーである。
【請求項４】
ドーナッツ形状ネット輪の内側円形と同程度の大きさのスポンジを挾み込みドーナッツ形状ネット輪の中で双方を適宜の結束材を用いて結束させた特許請求の範囲第１項記載の食器用複合クリーナーである。
【発明の詳細な説明】
【技術分野】
【０００１】食器クリーナーの１つである。汚れ落ちが良く仕上がスムースである事が必要である。
この複合クリーナーはドーナッツ形状ネット輪とスポンジを結束して、汚れ落しと汚れを流すことが同時に出来る。
本発明はドーナッツ形状ネット輪では汚れを落し、スポンジでは汚れを流すことが同時に出来るドーナッツ形状ネット輪とスポンジを結束した食器用複合クリーナーに関するものである。
【発明が解決しようとする課題】
【０００２】従来の食器用複合クリーナーはスポンジをネット袋状で包んでいるので食器を洗ってもクリーナーを持つ手に摩擦感覚がなく汚れが落ちない。
この欠点を除く為に汚れ落しの部分をドーナッツ形状ネット輪とし、汚れ流し部分をスポンジとし双方を結束させた食器用複合クリーナーである。
【課題を解決するための手段】
【０００３】汚れ落しの部分のドーナッツ形状ネット輪は軟質合成樹脂等の繊維を小さな編目で編み円筒形状としたものを先端から丸めてドーナツ形状としたものである。繊維の編み目が互にからんだ形状は食器を摩擦するので汚れが落ち易い。
汚れ流しの部分のスポンジは、ドーナッツ形状ネット輪の内側円形と同程度の大きさのものである。この双方を適宜結束材を用いて結束しているので、双方が直接食器にふれるので食器洗いがスムースである。
【図面の簡単な説明】
【０００４】
【図１】側面図
【図２】平面図
【符号の説明】
【０００５】１．ドーナッツ形状ネット輪
２．スポンジ
３．結束部分
【図１】
2017074349.tif 000003
【図２】
2017074349.tif 000004
(57)【要約】【課題】携帯用の保温保冷バッグ（クーラーボックス）を、非使用時に容易にコンパクト化できるようにする。【解決手段】断熱機能を備えた開閉蓋部３及びバッグ本体（底部１及び胴部２）で構成される保温保冷バッグであって、少なくともバッグ本体の胴部２を、断熱材を組み込んでなる断熱生地で形成すると共に、前記胴部２の上方部分と下方部分の全周に渡って連結する胴部収納ファスナー６を設けてなる。また必要に応じてバッグ本体を胴部２と扁平容器状の底部１で構成し、前記底部１と開閉蓋部３を硬質材で形成する。【選択図】  図３
2017074949.tif 000002
【特許請求の範囲】
【請求項１】
断熱機能を備えた開閉蓋部及びバッグ本体で構成される保温保冷バッグであって、少なくともバッグ本体の胴部を、断熱材を組み込んでなる断熱生地で形成すると共に、前記胴部の上方部分と下方部分の全周に渡って連結する胴部収納ファスナーを設けてなることを特徴とする保温保冷バッグ。
【請求項２】
バッグ本体を胴部と扁平容器状の底部で構成し、前記底部と開閉蓋部を硬質材で形成してなる請求項１記載の保温保冷バッグ。
【請求項３】
胴部収納ファスナーの上下務歯間に基端を連結した携帯用の吊下げベルトを設けてなる請求項１又は２記載の保温保冷バッグ。
【発明の詳細な説明】
【技術分野】
【０００１】
本発明は、所望の物品を保温保冷状態で携帯する保温保冷バッグに関するものである。
【背景技術】
【０００２】
携帯に供する保温保冷バッグは、クーラーボックスと称される断熱構造の容器体が一般的であり、使用時も非使用時もそのままの形態を保持しているもので、非使用時にコンパクト化することができない。非使用時のコンパクト化を実現する保冷容器の例としては、特許文献１に示されている。この保冷容器は、上面に蓋部を備えたキャンバス製の外袋と、外袋内に配置される断熱パネルで構成され、非使用時には断熱パネルを外して外袋内に収納して折り畳み、使用時は断熱パネルを外袋内面に固着して保冷空間を形成するものである。
【先行技術文献】
【特許文献】
【０００３】
【特許文献１】特開２００３−１１２７８６号公報。
【発明の概要】
【発明が解決しようとする課題】
【０００４】
保冷容器を非使用時にコンパクト化する手段として、キャンバス生地製の外袋と外袋内に組み込まれる断熱パネルで形成することが前記特許文献１で提案されているが、断熱パネルの組立作業及び分解作業が煩瑣である。そこで本発明は非使用時に容易にコンパクト化できる新規な保温保冷バッグを提案したものである。
【課題を解決するための手段】
【０００５】
本発明の請求項１記載に係る保温保冷バッグは、断熱機能を備えた開閉蓋部及びバッグ本体で構成される保温保冷バッグであって、少なくともバッグ本体の胴部を、断熱材を組み込んでなる断熱生地で形成すると共に、前記胴部の上方部分と下方部分の全周に渡って連結する胴部収納ファスナーを設けてなることを特徴とするものである。
【０００６】
而して断熱機能を備えることで収納物品を保温保冷状態で携帯できるものであり、非使用時には、胴部収納ファスナーを閉じることで胴部が内方に納められ、バッグ本体の全高が低くなりコンパクトになる。
【０００７】
本発明の請求項２記載に係る保温保冷バッグは、バッグ本体を胴部と扁平容器状の底部で構成し、前記底部と開閉蓋部を硬質材で形成してなるもので、飲食物等を携帯した際に、収納物品（飲食物等）を取出し、胴部を収納した状態にすると、バッグはコップ載せ台にするなどの飲食台として使用することができる。
【０００８】
また本発明の請求項３記載に係る保温保冷バッグは、胴部収納ファスナーの上下務歯間に基端を連結した携帯用の吊下げベルトを設けてなるもので、非使用時に吊下げベルトも収納できる。
【発明の効果】
【０００９】
本発明の構成は上記のとおりで、胴部収納ファスナーの開け閉めで非使用時のコンパクト化を容易に実現することができたものである。
【図面の簡単な説明】
【００１０】
【図１】本発明の実施形態の全体斜視図（蓋開け状態）。
【図２】同図（蓋閉め状態の正面）。
【図３】同図（蓋閉め状態の背面）。
【図４】同非使用時状態の全体斜視図。
【発明を実施するための形態】
【００１１】
次に本発明の実施形態について説明する。実施形態に示した保温保冷バッグは、バッグ本体を形成する底部１及び胴部２と、開閉蓋部３と、吊下げベルト４で構成される。
【００１２】
底部１は、扁平容器状に硬質材（芯入り生地や樹脂成型品）で形成され、発泡樹脂を内張したり、或いは二重構造にする等の適宜な断熱構造としている。
【００１３】
胴部２は、断熱材を組み込んでなる断熱生地で形成したもので、上部開口個所は、一側縁に開閉蓋部３を煽り開閉可能に連結し、開閉ファスナー５の一方側の務歯５１を設けてなり、また胴部２には、両側面にベルト装着部（リング体）２１を設け、全周に渡る胴部収納ファスナー６を付設してなる。
【００１４】
胴部収納ファスナー６は、その務歯６１，６２は、胴部２の上方部分（開閉ファスナー５の直下）と、下方部分（底部１との連結個所）の全周に設けると共に、一周した後に裏面で上下近接させ、務歯６１，６２の噛み合わせを行うスライダー６３を装着してなる。
【００１５】
開閉蓋部３は、底部１と同様に硬質材で形成し、適宜な断熱構造としてなるもので、胴部２の上方開口部の一側縁に連結し、下縁に開閉ファスナー５の他方の務歯５２を設けたものである。またその上面にはコップ受けとなる凹部３１を設けたものである。
【００１６】
吊下げベルト４は、ベルト本体４１とベルト本体４１の両端に設けた着脱金具４２からなり、着脱金具４２はベルト装着部２１に着可能としたカラビナタイプのものである。
【００１７】
而して前記の保温保冷バッグは所定の断熱機能を備え、飲食物等を保温保冷状態で携帯できるものであり、収納物品の収納取出しは、開閉ファスナー５のスライダー５３を操作して行う。
【００１８】
収納物品を取り出した後には、胴部収納ファスナー６のスライダー６３を操作して務歯６１，６２を噛み合わせると、ベルト装着部２１も含め、胴部２全体が内方に納められ、あたかも底部１と開閉蓋部３が連結された状態となり、全体のコンパクト化が実現する。
【００１９】
特に底部１と開閉蓋部３が硬質材で形成されているので、前記の胴部２の収納時には、そのまま飲食台として使用することもできる。勿論吊下げベルト４は、ベルト装着部２１から外さず、そのまま胴部２と共に収納しても良いし、着脱金具４２から外して底部１と開閉蓋部３で係背される内部空間に収納しても良い。
【００２０】
尚前記実施形態は、図示するような長方体としているが円筒形・楕円筒形でも良く、また底部１及び開閉蓋部３も胴部２と同様な断熱生地で形成しても良い。
【符号の説明】
【００２１】
１      底部
２      胴部
２１    ベルト装着部
３      開閉蓋部
３１    凹部
４      吊下げベルト
４１    ベルト本体
４２    着脱金具
５      開閉ファスナー
５１，５２  務歯
５３    スライダー
６      胴部収納ファスナー
６１，６２  務歯
６３    スライダー
【図１】
2017074949.tif 000003
【図２】
2017074949.tif 000004
【図３】
2017074949.tif 000005
【図４】
2017074949.tif 000006